(57)【要約】【課題】給湯装置において、ショートサーキットに起因した浴槽湯水の温度調節不良を抑制する。【解決手段】ステップＳ１０５では、追焚き運転が開始された後に、浴槽湯水の温度に対する所定の温度条件が成立したか否かが判定される。また、ステップＳ１０６では、追焚き運転が開始された後に、浴槽湯水の温度とは異なる他の物理量に対する所定の付加条件が成立したか否かが判定される。また、追焚き運転がステップＳ１０１から開始された場合には、温度条件が成立したとステップＳ１０５で判定され且つ付加条件が成立したとステップＳ１０６で判定されるまで、その追焚き運転は継続される。これにより、追焚き運転の運転時間が短すぎるという事態が回避されやすく、ショートサーキットに起因した浴槽湯水の温度調節不良を抑制することが可能である。【選択図】図２
2018091511.tif 000002
【特許請求の範囲】
【請求項１】
熱源流体と浴槽（６０）に貯められた浴槽湯水（Ｗｂ）とを熱交換させることにより該浴槽湯水の温度を調節する湯温調節運転を実行する運転実行部（Ｓ１０１、Ｓ１０７、Ｓ１０９、Ｓ１１０、Ｓ２０１、Ｓ２０７、Ｓ２０９、Ｓ２１０）と、
前記湯温調節運転が開始された後に、前記浴槽湯水の温度に対する所定の温度条件が成立したか否かを判定する温度条件判定部（Ｓ１０５）と、
前記湯温調節運転が開始された後に、前記浴槽湯水の温度とは異なる他の物理量（Ｃｒｈ、Ｔｒｈ、Ｃｒｃ、Ｔｒｃ）に対する所定の付加条件が成立したか否かを判定する付加条件判定部（Ｓ１０６、Ｓ２０６）とを備え、
前記運転実行部は、前記湯温調節運転を開始した場合には、前記温度条件が成立したと前記温度条件判定部により判定され且つ前記付加条件が成立したと前記付加条件判定部により判定されるまで前記湯温調節運転を継続する湯温調節装置。
【請求項２】
前記湯温調節運転とは、前記熱源流体と前記浴槽湯水との熱交換によって前記浴槽湯水の温度を上昇させる追焚き運転であり、
前記付加条件とは、前記湯温調節運転の実行に伴って前記浴槽湯水が吸熱した積算熱量（Ｃｒｈ）に対する熱量条件、または、前記湯温調節運転が実行された運転時間（Ｔｒｈ）に対する時間条件であり、
前記付加条件判定部は、前記熱量条件または前記時間条件が成立した場合に、前記付加条件が成立したと判定する請求項１に記載の湯温調節装置。
【請求項３】
前記湯温調節運転とは、前記熱源流体と前記浴槽湯水との熱交換によって前記浴槽湯水の温度を低下させる熱回収運転であり、
前記付加条件とは、前記湯温調節運転の実行に伴って前記浴槽湯水が放熱した積算熱量（Ｃｒｃ）に対する熱量条件、または、前記湯温調節運転が実行された運転時間（Ｔｒｃ）に対する時間条件であり、
前記付加条件判定部は、前記熱量条件または前記時間条件が成立した場合に、前記付加条件が成立したと判定する請求項１に記載の湯温調節装置。
【請求項４】
前記浴槽湯水が有する浴槽湯水熱量（Ｃｈ、Ｃｃ）と該浴槽湯水熱量の目標値として定められた目標熱量（Ｃｔｈ、Ｃｔｃ）との熱量差に基づき決定された必要熱量（Ｃｔｒｈ、Ｃｔｒｃ）に前記積算熱量（Ｃｒｈ、Ｃｒｃ）が達した場合に、前記熱量条件は成立する請求項２または３に記載の湯温調節装置。
【請求項５】
前記目標熱量は、前記湯温調節運転で前記浴槽湯水の温度の目標値とされる目標浴槽温度（Ｔｔｂ）と、前記湯温調節運転が終了したときの前記浴槽湯水の湯水量として推定される終了後浴槽湯水量（Ｍｔｂ）との積に基づいて定められる請求項４に記載の湯温調節装置。
【請求項６】
前記浴槽湯水の温度を検出する温度センサ（７６）を備え、
該温度センサによって検出された前記浴槽湯水の温度検出値（ＴＰｒ）が、前記湯温調節運転で該浴槽湯水の温度の目標値とされる目標浴槽温度（Ｔｔｂ）に到達した場合に、前記温度条件は成立する請求項１ないし４のいずれか１つに記載に記載の湯温調節装置。
【請求項７】
前記浴槽湯水と前記熱源流体との熱交換を行う浴槽用熱交換器（３０）と、
前記浴槽と前記浴槽用熱交換器との間で前記浴槽湯水を循環させる浴槽湯水ポンプ（５７）と、
前記熱源流体を前記浴槽用熱交換器に循環させる熱源流体ポンプ（５６）とを備え、
前記運転実行部は、前記浴槽湯水ポンプと前記熱源流体ポンプとを作動させることにより前記熱源流体と前記浴槽湯水とを熱交換させ、
更に、前記運転実行部は、
前記温度条件が成立したと前記温度条件判定部により判定され且つ前記付加条件が成立したと前記付加条件判定部により判定された場合には、前記湯温調節運転を停止すると共に、前記熱源流体ポンプを停止させ且つ前記浴槽湯水ポンプを作動させる浴槽湯水循環運転を実行し、
該浴槽湯水循環運転の実行中に、前記浴槽湯水の温度が前記目標浴槽温度から、該目標浴槽温度に到達する前の温度側へ所定の温度幅（α、β）以上戻った場合には、前記浴槽湯水循環運転に替えて前記湯温調節運転を再開し、
該湯温調節運転を再開した場合において、前記温度条件が成立したと前記温度条件判定部により判定された場合には、前記付加条件に拘わらず、前記湯温調節運転を停止する請求項６に記載に記載の湯温調節装置。
【請求項８】
前記運転実行部は、前記温度条件判定部の判定結果と前記付加条件判定部の判定結果とに従って前記湯温調節運転を継続する第１状態と、前記付加条件判定部の判定結果に拘わらず、前記温度条件が成立したと前記温度条件判定部により判定されるまで前記湯温調節運転を継続する第２状態とに切替え可能となっている請求項１ないし７のいずれか１つに記載の湯温調節装置。
【請求項９】
操作者に操作される操作端末（９０ａ、９０ｂ）を備え、
前記操作端末には、前記運転実行部が前記第１状態と前記第２状態との何れに切り替えられているかが表示される請求項８に記載の湯温調節装置。
【発明の詳細な説明】
【技術分野】
【０００１】
本発明は、風呂の浴槽に貯められた浴槽湯水の温度を調節する湯温調節装置に関するものである。
【背景技術】
【０００２】
風呂の追焚きの際には、給湯装置の追焚き回路から出湯された湯が浴槽内で拡散せずに再び追焚き回路内に流入するショートサーキット状態が生じることが従来から知られている。このショートサーキット状態が生じると、浴槽内の湯水すなわち浴槽湯水の全体的な温度が目標温度になる前に、温度センサによって検出される浴槽湯水の検出温度がその目標温度に達して、それにより追焚き運転が終了することがある。
【０００３】
このようなショートサーキット状態に対処するために、例えば、特許文献１に記載された給湯システムが提案されている。その特許文献１の給湯システムは、浴槽湯水を風呂用熱交換器に循環させる風呂循環ポンプと、熱源流体を風呂用熱交換器に循環させる熱源側ポンプと、風呂用熱交換器の入口側の浴槽湯水の温度を検出する風呂戻り温度検出手段と、制御手段と、を備えている。その制御手段は、追焚き運転を実施しているときに風呂戻り温度検出手段の検出温度が第１目標温度に達した場合には、熱源側ポンプの駆動を停止して風呂循環ポンプを駆動する風呂用熱交換器冷却運転を実施する。更に、その制御手段は、風呂用熱交換器冷却運転を実施しているときに風呂戻り温度検出手段の検出温度が第１目標温度より低い第２目標温度を下回った場合には、追焚き運転を再度実施する。
【先行技術文献】
【特許文献】
【０００４】
【特許文献１】特開２０１５−２１０００３号公報
【発明の概要】
【発明が解決しようとする課題】
【０００５】
特許文献１の給湯システムでは、上述のように追焚き運転を再開する制御が実行されるが、未だ十分ではなく、浴槽内の全体で浴槽湯水の温度が目標温度になる前に追焚き運転が終了する可能性があると、発明者は考えた。そのため、特許文献１の給湯システムとは異なる制御によって浴槽湯水の温度調節を行う必要があった。発明者の詳細な検討の結果、以上のようなことが見出された。
【０００６】
本発明は上記点に鑑みて、ショートサーキットに起因した浴槽湯水の温度調節不良を抑制することが可能な湯温調節装置を提供することを目的とする。
【課題を解決するための手段】
【０００７】
上記目的を達成するため、請求項１に記載の湯温調節装置は、
熱源流体と浴槽（６０）に貯められた浴槽湯水（Ｗｂ）とを熱交換させることによりその浴槽湯水の温度を調節する湯温調節運転を実行する運転実行部（Ｓ１０１、Ｓ１０７、Ｓ１０９、Ｓ１１０、Ｓ２０１、Ｓ２０７、Ｓ２０９、Ｓ２１０）と、
湯温調節運転が開始された後に、浴槽湯水の温度に対する所定の温度条件が成立したか否かを判定する温度条件判定部（Ｓ１０５）と、
湯温調節運転が開始された後に、浴槽湯水の温度とは異なる他の物理量（Ｃｒｈ、Ｔｒｈ、Ｃｒｃ、Ｔｒｃ）に対する所定の付加条件が成立したか否かを判定する付加条件判定部（Ｓ１０６、Ｓ２０６）とを備え、
運転実行部は、湯温調節運転を開始した場合には、温度条件が成立したと温度条件判定部により判定され且つ付加条件が成立したと付加条件判定部により判定されるまで湯温調節運転を継続する。
【０００８】
このようにすれば、浴槽湯水の温度に加え、その浴槽湯水の温度とは異なる他の物理量にも基づいて、湯温調節運転を継続するか停止するかが決定される。従って、湯温調節運転を継続するか停止するかが上記温度条件のみに基づいて判定される場合と比較して、湯温調節運転の運転時間が短すぎるという事態を回避しやすい。そのため、ショートサーキットに起因した浴槽湯水の温度調節不良を抑制することが可能である。
【０００９】
なお、特許請求の範囲およびこの欄で記載した括弧内の各符号は、後述する実施形態に記載の具体的内容との対応関係を示す一例である。
【図面の簡単な説明】
【００１０】
【図１】第１実施形態において貯湯式の給湯装置の概略構成を表した全体構成図である。
【図２】第１実施形態において、給湯装置の制御部が実行する追焚き運転の制御処理を示したフローチャートである。
【図３】第１実施形態において、給湯装置の制御部が実行する風呂熱回収運転の制御処理を示したフローチャートである。
【図４】第２実施形態において実行される制御処理のうちの１つを示したフローチャートであって、付加条件に関わるステップを図２から省いたフローチャートである。
【図５】第２実施形態において実行される制御処理のうちの１つを示したフローチャートであって、付加条件に関わるステップを図３から省いたフローチャートである。
【発明を実施するための形態】
【００１１】
以下、図面を参照しながら、各実施形態を説明する。なお、以下の各実施形態相互において、互いに同一もしくは均等である部分には、図中、同一符号を付してある。
【００１２】
（第１実施形態）
図１は、貯湯式の給湯装置１の概略構成を表した全体構成図である。その給湯装置１は、風呂の浴槽６０に貯められた浴槽湯水Ｗｂの温度を調節する湯温調節装置としての機能を備えている。そして、図１に示すように、給湯装置１は、貯湯タンク１０と、浴槽用熱交換器３０と、制御システム８０とを含んで構成されている。
【００１３】
貯湯タンク１０は、耐食性に優れた金属製の容器、例えばステンレス製の容器で構成されている。貯湯タンク１０は中空円柱状で、その軸方向が鉛直方向に延びる縦長形状に形成されている。貯湯タンク１０は、外表面を断熱材で覆う断熱構造または二重タンクによる真空断熱構造等を有しているため、高温の給湯水を長時間保温することができる。貯湯タンク１０は、ヒートポンプユニット５０（以下、ＨＰユニット５０と表記する）によって加熱された給湯水を貯湯する。
【００１４】
貯湯タンク１０には、タンク水温サーミスタ７１が設けられている。タンク水温サーミスタ７１は、貯湯タンク１０の高さ方向に複数個分散されて設けられている。タンク水温サーミスタ７１は、貯湯タンク１０に貯められた給湯水の貯湯量および貯湯温度を検出するためのタンク温度検出器である。タンク水温サーミスタ７１は貯湯タンク１０内のそれぞれの高さレベルでの温度信号を制御システム８０の制御部８０ｂに出力する。
【００１５】
貯湯タンク１０の下部には、下方開口部１０ａが設けられている。下方開口部１０ａは貯湯タンク１０の下方側の給湯水を流出させる流出口である。また、下方開口部１０ａは貯湯タンク１０内へ水道水を流入させる流入口でもある。貯湯タンク１０へ流入する水道水は、給水配管１１によって供給される。
【００１６】
入口側給湯水配管２１ａは、下方開口部１０ａから流出した貯湯タンク１０下方側の給湯水または給水配管１１によって供給される水道水をＨＰユニット５０へと導く。入口側給湯水配管２１ａにはバイパス配管２１ｃが接続されている。バイパス配管２１ｃは、下方開口部１０ａから流出した貯湯タンク１０下方側の給湯水または給水配管１１によって供給される水道水を、ＨＰユニット５０を迂回して三方弁５２へと導くことを可能とする。
【００１７】
ＨＰユニット５０は、冷媒として臨界温度の低い二酸化炭素を使用する超臨界のヒートポンプサイクルと、そのヒートポンプサイクルに水を圧送する沸上用水ポンプ５１とを含んで構成されている。超臨界のヒートポンプサイクルによれば、一般的なヒートポンプサイクルよりも高温、例えば８５℃〜９０℃の湯を貯湯タンク１０内に貯えることができる。
【００１８】
沸上用水ポンプ５１は、入口側給湯水配管２１ａに配置される電動式の水ポンプである。沸上用水ポンプ５１は、貯湯タンク１０の下方側の給湯水あるいは給水配管１１によって供給される水道水を水冷媒熱交換器の水通路へ圧送する。沸上用水ポンプ５１は、制御システム８０の制御部８０ｂによって制御される。
【００１９】
ヒートポンプサイクルは、複数の冷凍サイクル機能部品を備えている。複数の冷凍サイクル機能部品とは、少なくとも電動式の圧縮機、水冷媒熱交換器、電気式の膨張弁、空気熱交換器、およびアキュムレータである。これら冷凍サイクル機能部品は、冷媒が流通する通路により接続されている。空気熱交換器の近傍には、空気熱交換器に対して空気を送風する送風機が設けられている。
【００２０】
膨張弁は、水冷媒熱交換器から流出する高圧の冷媒を減圧する減圧装置であり、制御部８０ｂによってその弁開度が電気的に制御される。空気熱交換器は、膨張弁で減圧された冷媒を送風機によって送風される室外空気との熱交換によって蒸発気化させ、圧縮機にガス冷媒を供給する。送風機は、空気熱交換器の熱交換性能を確保するように制御部８０ｂによってその回転数が制御される。アキュムレータは、空気熱交換器から流出する冷媒を気液分離して、気相冷媒のみを圧縮機に吸引させるとともに、サイクル中の余剰冷媒を貯える。
【００２１】
水冷媒熱交換器は、圧縮機の吐出口より吐出された高温高圧の冷媒によって、沸上用水ポンプ５１により圧送された給湯水または水道水を加熱する加熱用熱交換器である。水冷媒熱交換器は、冷媒を流通させる冷媒通路と給湯水を流通させる水通路とを有している。水冷媒熱交換器は、例えば、冷媒通路の表面と水通路の表面とが熱交換可能に密着するように配置された二層構造となっている。水通路の入口側には、入口側給湯水配管２１ａを介して下方開口部１０ａが接続されている。また、水通路の出口側には、出口側給湯水配管２１ｂを介して、第１継手２２の流入出口の１つが接続されている。第１継手２２は、３つの流入出口を有する三方継手である。
【００２２】
第１継手２２の別の流入出口には、浴槽用熱交換器３０の給湯水側通路３０ａの入口側が接続されている。第１継手２２のさらに別の流入出口には、三方弁５２の１つの流入出口が接続されている。三方弁５２の別の流入出口には、貯湯タンク１０の上方側に設けられた第１上方開口部１０ｂが接続されている。三方弁５２のさらに別の流入出口には、バイパス配管２１ｃの出口側が接続されている。
【００２３】
三方弁５２は、給湯水の流路を切り替える切替弁である。三方弁５２は、下方開口部１０ａと第１継手２２とをバイパス配管２１ｃを介して連通する流路と、下方開口部１０ａと第１上方開口部１０ｂとを出口側給湯水配管２１ｂを介して連通する流路とを切り替える。三方弁５２は、制御システム８０の制御部８０ｂによって制御される。
【００２４】
水冷媒熱交換器によって加熱された給湯水は、第１継手２２および三方弁５２を介して、貯湯タンク１０の第１上方開口部１０ｂから貯湯タンク１０内へ流入する。したがって、貯湯タンク１０内の給湯水は、上方側から下方側へ向かって温度が徐々に低下する温度分布が生じやすい。
【００２５】
第２上方開口部１０ｃは、貯湯タンク１０の上部に設けられ、貯湯タンク１０内の給湯水のうち上方側の高温の給湯水を流出させる流出口である。第２上方開口部１０ｃには、中温用混合弁５３の一方の流入口が接続されている。
【００２６】
貯湯タンク１０の中間部には、第１中間開口部１０ｄが設けられている。第１中間開口部１０ｄは、貯湯タンク１０内に貯湯された給湯水のうち上下方向中間部位の中間温度の給湯水を流出させる流出口である。第１中間開口部１０ｄには中温用混合弁５３の他方の流入口が接続されている。なお、中間温度の給湯水は中温水と言い換えることができる。貯湯タンク１０の中間部には、さらに第２中間開口部１０ｅが設けられている。第２中間開口部１０ｅは、浴槽用熱交換器３０の給湯水側通路３０ａを通過した湯水が流入する開口部である。
【００２７】
中温用混合弁５３は、第２上方開口部１０ｃから流出した給湯水と第１中間開口部１０ｄから流出した給湯水との混合比率を調整して、下流側に流出させる給湯水の温度を調整する温度調整弁である。中温用混合弁５３は、例えば第２上方開口部１０ｃからの給湯水が流れる通路の断面積と、第１中間開口部１０ｄからの給湯水が流れる通路の断面積とを同時に変化させる弁体およびこの弁体を変位させる電動アクチュエータを有する形式の流量調整弁で構成される。中温用混合弁５３は制御部８０ｂによって制御される。
【００２８】
中温用混合弁５３の出口側には、浴槽用混合弁５４の一方の流入口が接続されている。浴槽用混合弁５４の他方の流入口には、給水配管１１が接続されている。浴槽用混合弁５４は、中温用混合弁５３から流出する給湯水と給水配管１１から供給される水道水との混合比率を調整して、下流側に流出させる給湯水の温度を調整する温度調整弁である。浴槽用混合弁５４は制御部８０ｂによって制御される。
【００２９】
浴槽用混合弁５４の出口側には、浴槽用開閉弁５５を介して、浴槽用水循環回路４４ａに配置された第２継手４３のひとつの流入出口が接続されている。第２継手４３は、３つの流入出口を有する三方継手である。浴槽用開閉弁５５は、浴槽用混合弁５４の出口側と浴槽用水循環回路４４ａとを接続する浴槽用配管４４ｂを開閉するものであって、制御部８０ｂから出力される制御信号によってその作動が制御される電磁弁である。浴槽用混合弁５４から流出した給湯水は、浴槽用開閉弁５５、第２継手４３を介して浴槽６０内へ供給される。
【００３０】
浴槽用水循環回路４４ａは、浴槽６０内と浴槽用熱交換器３０の浴槽用湯通路３０ｂとの間で、浴槽６０から流出した浴槽湯水Ｗｂを循環させる水循環回路である。その浴槽湯水Ｗｂとは、浴槽６０内の湯水、すなわち、浴槽６０に貯められた湯水である。
【００３１】
浴槽用水循環回路４４ａには、浴槽湯水ポンプ５７と、水位センサ７３とが配置されている。浴槽湯水ポンプ５７は、浴槽６０の上下方向中間位置に設けられた浴槽用湯吸入口から浴槽湯水Ｗｂを吸入して浴槽用湯通路３０ｂへ圧送する電動式の水ポンプである。すなわち、浴槽湯水ポンプ５７は、浴槽６０と浴槽用熱交換器３０との間で浴槽湯水Ｗｂを循環させる。例えば浴槽湯水ポンプ５７は制御部８０ｂによって制御される。
【００３２】
水位センサ７３は、浴槽用湯吸入口近傍に設けられ、検出された水圧の変化等によって浴槽６０内の湯水の量を検出するセンサである。水位センサ７３は、検出した水位情報を制御部８０ｂへと出力する。
【００３３】
浴槽湯水ポンプ５７の吐出口側には、第２継手４３の別の流入出口が接続されており、第２継手４３のさらに別の流入出口には、浴槽用湯通路３０ｂの入口側が接続されている。浴槽用湯通路３０ｂの出口側には、浴槽６０の下方側に配置された浴槽用湯吐出口が接続されている。
【００３４】
浴槽用熱交換器３０は、第１継手２２から流出した給湯水を流通させる給湯水側通路３０ａと、浴槽用水循環回路４４ａを循環する浴槽湯水Ｗｂを流通させる浴槽用湯通路３０ｂとを有する。浴槽用熱交換器３０は、給湯水側通路３０ａを流通する給湯水と浴槽用湯通路３０ｂを流通する浴槽湯水Ｗｂとを熱交換させる熱交換器である。これにより、浴槽用熱交換器３０は、ＨＰユニット５０によって加熱された給湯水または貯湯タンク１０内の給湯水と浴槽６０内の湯水とを熱交換し追焚き運転や風呂熱回収運転等を実現する。すなわち、給湯水側通路３０ａを流通する給湯水は、浴槽６０内の湯水と熱の授受を行う熱源流体として機能する。
【００３５】
給湯水側通路３０ａの出口側には給湯水ポンプ５６が配置されている。その給湯水ポンプ５６は電動式の水ポンプであり、給湯水側通路３０ａから流出した給湯水を第２中間開口部１０ｅへ圧送する。すなわち、給湯水ポンプ５６は、熱源流体としての給湯水を浴槽用熱交換器３０に循環させる熱源流体ポンプとして機能する。給湯水ポンプ５６の作動は制御部８０ｂによって制御される。
【００３６】
制御システム８０は、制御部８０ｂと、浴室内コントローラ９０ａと、浴室外コントローラ９０ｂとを備えている。制御部８０ｂは電子制御装置で構成されている。例えば、その制御部８０ｂは、コンピュータによって読み取り可能な記憶媒体を備えるマイクロコンピュータを主なハードウェア要素として備えている。記憶媒体は、コンピュータによって読み取り可能な所定のプログラムを非一時的に記憶する非遷移的実体的記憶媒体である。記憶媒体は、半導体メモリまたは磁気ディスクなどによって提供されうる。
【００３７】
制御部８０ｂは、上述の各制御対象機器と各種センサとが接続されるインターフェイス部８０ｃ（以下、Ｉ／Ｆ部８０ｃと表記する）と、各種判定処理を行う処理部８０ｅと、プログラムや検出した各種データを記憶する記憶部８０ｄとを備えている。
【００３８】
Ｉ／Ｆ部８０ｃには、ＨＰユニット５０を構成する機器、三方弁５２、浴槽湯水ポンプ５７、給湯水ポンプ５６、中温用混合弁５３、浴槽用混合弁５４、浴槽用開閉弁５５等が接続される。Ｉ／Ｆ部８０ｃは、これらの各制御対象機器に対して出力を行う。さらにＩ／Ｆ部８０ｃには、赤外線センサ７４、水位センサ７３、タンク水温サーミスタ７１、浴槽用湯温センサ７２、風呂往き温度センサ７５、風呂戻り温度センサ７６、浴室内コントローラ９０ａ、浴室外コントローラ９０ｂ等が接続される。Ｉ／Ｆ部８０ｃは、各種信号を制御部８０ｂへと入力する。そのコントローラ９０ａ、９０ｂは何れも、操作者としてのユーザに操作される操作端末である。
【００３９】
赤外線センサ７４は、浴室内の浴槽６０近傍に設けられる。赤外線センサ７４は、ユーザの入浴状況を検知するためのセンサである。赤外線センサ７４は、検出される赤外線量の変化に応じて、ユーザが浴槽６０内へ入浴したことおよび浴槽６０から出たことを検知する。浴槽用湯温センサ７２は、浴槽６０に設けられ、浴槽６０内の湯水の温度を浴槽６０内で検出する温度センサである。以下、浴槽６０内の湯水の温度を浴槽温度とも表記する。
【００４０】
風呂往き温度センサ７５は、浴槽用水循環回路４４ａのうち浴槽用湯通路３０ｂの出口側から浴槽６０に至るまでの流路に設けられている。従って、風呂往き温度センサ７５は、浴槽用熱交換器３０での熱交換後かつ浴槽６０への流入前の浴槽湯水Ｗｂの温度ＴＰｇすなわち風呂往き温度ＴＰｇを検出する。
【００４１】
風呂戻り温度センサ７６は、浴槽用水循環回路４４ａのうち浴槽６０から浴槽用湯通路３０ｂの入口側に至るまでの流路に設けられている。従って、風呂戻り温度センサ７６は、浴槽用熱交換器３０での熱交換前かつ浴槽６０から導き出された後の浴槽湯水Ｗｂの温度ＴＰｒすなわち風呂戻り温度ＴＰｒを検出する。
【００４２】
浴室内コントローラ９０ａは、浴室の壁に設けられるリモコンである。浴室内コントローラ９０ａは、操作者としてのユーザによる操作が可能な浴室内スイッチ部と、運転状態が表示される浴室内表示部とを備えている。浴室内コントローラ９０ａの浴室内スイッチ部は、操作スイッチとして、設定浴槽温度を設定する浴室内設定温度スイッチ、浴室内風呂自動スイッチ、浴室内たし湯スイッチ、浴室内風呂ぬるめスイッチ、浴室内給湯温度設定スイッチ、浴室内追焚きスイッチ、浴室内風呂熱回収スイッチ、設定浴槽湯水量を設定する浴室内湯水量設定スイッチ等を有している。また、浴室内表示部は、給湯装置１の運転状況および各種設定情報を、ユーザに対する視覚情報として表示する。
【００４３】
浴室外コントローラ９０ｂは、浴室以外の部屋の壁、例えばキッチンやリビングルームの壁に設けられるリモコンである。浴室外コントローラ９０ｂは、操作者としてのユーザによる操作が可能な浴室外スイッチ部と、運転状態が表示される浴室外表示部とを備えている。浴室外コントローラ９０ｂの浴室外スイッチ部は、操作スイッチとして、設定浴槽温度を設定する浴室外設定温度スイッチ、浴室外風呂自動スイッチ、浴室外たし湯スイッチ、浴室外風呂ぬるめスイッチ、浴室外給湯温度設定スイッチ、浴室外用追焚きスイッチ、浴室外風呂熱回収スイッチ、設定浴槽湯水量を設定する浴室外湯水量設定スイッチ等を有している。また、浴室外表示部は、給湯装置１の運転状況および各種設定情報を、ユーザに対する視覚情報として表示する。コントローラ９０ａ、９０ｂおよび浴槽６０を除く給湯装置１の各部は、屋外等の適所に設置されている。
【００４４】
次に、給湯装置１が実施する運転モードを説明する。給湯装置１は、浴槽温度を低減可能な複数の運転モードと、浴槽温度を上昇可能な複数の運転モードとを実施することができる。その浴槽温度を低減可能な運転モードとしては、浴槽６０内の湯水の熱を貯湯タンク１０内の湯水へと回収する風呂熱回収運転、および、水道水を浴槽へと供給し浴槽温度を低減する差し水運転等を例示することができる。また、浴槽温度を上昇可能な複数の運転モードとしては、浴槽６０内の湯水を加熱する追焚き運転、ＨＰユニットによる沸き上げ運転、および、足し湯運転等を例示することができる。
【００４５】
差し水運転は、水道水を浴槽６０内に供給することで浴槽温度を低下させるために実行される。差し水運転は、例えば各コントローラ９０ａ、９０ｂの浴室内風呂ぬるめスイッチまたは浴室外風呂ぬるめスイッチが操作されることで実行される。差し水運転では、制御システム８０の制御部８０ｂが、水道水を浴槽用配管４４ｂへと流入させるように浴槽用混合弁５４を制御する。したがって、水道水は浴槽用混合弁５４、浴槽用開閉弁５５、浴槽用配管４４ｂを通過して浴槽６０へと流入する。
【００４６】
沸き上げ運転は、貯湯タンク１０内に加熱された給湯水を貯めるために実行される。沸上運転では、制御部８０ｂが、ＨＰユニット５０を作動させ、三方弁５２を第１継手２２と第１上方開口部１０ｂとを接続するように制御する。したがって、下方開口部１０ａから流出した給湯水あるいは給水配管１１によって供給された水道水は、沸上用水ポンプ５１によって水冷媒熱交換器の水通路へ圧送され、高温高圧冷媒と熱交換することで加熱される。水通路から流出した高温の給湯水は、第１継手２２および三方弁５２を介して、第１上方開口部１０ｂから流入する。沸き上げ運転は、タンク水温サーミスタ７１によって検出される貯湯タンク１０上部の給湯水の温度が基準沸上温度、例えば９０℃、を超えるまで実行される。制御部８０ｂは、主に料金設定の安価な深夜時間帯に深夜電力を利用し沸き上げ運転を実行する。これにより、貯湯タンク１０に貯める給湯水を沸き上げるために必要な電力コストを抑制することが可能となる。また、制御部８０ｂは、深夜時間帯以外の時間帯においても、貯湯タンク１０内の貯湯熱量が不足したと判定した場合には沸き上げ運転を実行する。
【００４７】
足し湯運転は、高温の給湯水によって浴槽温度を上昇するために実行される。足し湯運転は、例えば各コントローラ９０ａ、９０ｂの浴室内たし湯スイッチまたは浴室外たし湯スイッチが操作されることで実行される。足し湯運転では、制御部８０ｂは、中温用混合弁５３と浴槽用混合弁５４と浴槽用開閉弁５５を制御し、第２上方開口部１０ｃと浴槽用配管４４ｂとを連通させる。したがって、第２上方開口部１０ｃから流出した高温の給湯水は、中温用混合弁５３、浴槽用混合弁５４、浴槽用開閉弁５５を通過し、浴槽６０内へと供給される。これにより、高温の給湯水を浴槽６０内に加え、浴槽温度を上昇させることができる。
【００４８】
自動保温運転は、浴槽温度を、浴室内コントローラ９０ａや浴室外コントローラ９０ｂによって設定された設定浴槽温度に維持するために実行される。自動保温運転は、例えば各コントローラ９０ａ、９０ｂの浴室内風呂自動スイッチまたは浴室外風呂自動スイッチが操作されることで実行される。自動保温運転は、一旦設定されると自動保温運転が解除されない限り、浴槽用湯温センサ７２によって検出される浴槽温度を、コントローラ９０ａ、９０ｂによって設定された設定浴槽温度に維持する制御を行う自動運転の一種である。
【００４９】
次に、制御システム８０の制御部８０ｂが追焚き運転と風呂熱回収運転とを実行するための制御処理について説明する。追焚き運転とは、給湯水側通路３０ａを流通する給湯水と浴槽６０に貯められた浴槽湯水Ｗｂとの熱交換によって浴槽温度を上昇させる熱供給運転である。そして、風呂熱回収運転とは、給湯水側通路３０ａを流通する給湯水と浴槽湯水Ｗｂとの熱交換によってその給湯水に吸熱させると共に浴槽温度を低下させる熱回収運転である。
【００５０】
すなわち、その追焚き運転と風呂熱回収運転は何れも、給湯水側通路３０ａを流通する給湯水と浴槽６０に貯められた浴槽湯水Ｗｂとを熱交換させることにより浴槽温度を調節する湯温調節運転である。要するに、追焚き運転は、浴槽温度を上昇させる目的で実行される湯温調節運転であり、風呂熱回収運転は、浴槽温度を低下させる目的で実行される湯温調節運転である。
【００５１】
先ず、追焚き運転を実行するための制御処理を図２のフローチャートを用いて説明する。制御部８０ｂは、この図２に示す追焚き運転の制御処理を、例えば各コントローラ９０ａ、９０ｂの浴室内追焚きスイッチまたは浴室外用追焚きスイッチがオン操作された場合に開始する。
【００５２】
図２のステップＳ１０１では、制御部８０ｂは追焚き運転を実行する。この追焚き運転は、ステップＳ１０１以降のステップで停止または終了させられるまで継続する。また、例えば、各コントローラ９０ａ、９０ｂの浴室内追焚きスイッチまたは浴室外用追焚きスイッチがオフ操作された場合には、追焚き運転は終了する。
【００５３】
追焚き運転では、貯湯タンク１０内の給湯水の熱によって浴槽湯水Ｗｂが加熱される。追焚き運転では、制御部８０ｂは、三方弁５２を第１上方開口部１０ｂと第２中間開口部１０ｅとが接続されるように制御すると共に、給湯水ポンプ５６と浴槽湯水ポンプ５７とを作動させる。従って、第１上方開口部１０ｂから流出した熱源流体としての高温の給湯水は、三方弁５２および第１継手２２を介して給湯水側通路３０ａへ流入する。一方、浴槽６０から浴槽湯水ポンプ５７によって圧送された浴槽湯水Ｗｂは、浴槽用湯通路３０ｂへと流入する。
【００５４】
そして、給湯水ポンプ５６と浴槽湯水ポンプ５７とが作動させられることにより、熱源流体としての給湯水と、浴槽湯水Ｗｂとが熱交換させられる。つまり、浴槽用熱交換器３０では、給湯水側通路３０ａを通過する高温の給湯水と、浴槽用湯通路３０ｂを通過する浴槽湯水Ｗｂとが熱交換する。この熱交換により、給湯水側通路３０ａを流通する給湯水の温度は低下し、浴槽用湯通路３０ｂを流通する浴槽湯水Ｗｂの温度は上昇する。給湯水側通路３０ａを流出した給湯水は、給湯水ポンプ５６によって第２中間開口部１０ｅから貯湯タンク１０へと回収される。一方、浴槽用湯通路３０ｂを通過した浴槽湯水Ｗｂは、浴槽６０内へと戻される。これにより、浴槽６０に貯められた浴槽湯水Ｗｂを、貯湯タンク１０内の湯水の熱によって加熱することができる。ステップＳ１０１の次はステップＳ１０２へ進む。
【００５５】
ステップＳ１０２では、追焚き運転の運転時間Ｔｒｈである追焚き運転時間Ｔｒｈの計測を開始する。すなわち、その追焚き運転時間Ｔｒｈは、追焚き運転が実行された運転時間であるので、ステップＳ１０１で開始された追焚き運転の開始時点を零として、その開始時点から累積される。この追焚き運転時間Ｔｒｈの累積は、追焚き運転が停止または終了すれば止められるが、追焚き運転時間Ｔｒｈは、後述のステップＳ１１０で追焚き運転が終了するまで零には戻らず減少することはない。ステップＳ１０２の次はステップＳ１０３へ進む。
【００５６】
ステップＳ１０３では、追焚き運転の積算熱量Ｃｒｈである追焚き積算熱量Ｃｒｈの積算を開始する。その追焚き積算熱量Ｃｒｈは、追焚き運転の開始時点を零として、その開始時点から積算される。追焚き積算熱量Ｃｒｈは、追焚き運転の実行に伴って浴槽湯水Ｗｂが吸熱した積算熱量であり、時間積分式である下記式Ｆ１から算出される算出値である。
【００５７】
【数１】
2018091511.tif 000003
【００５８】
上記式Ｆ１のＴｒｈは追焚き運転時間Ｔｒｈであり、Ｑｂは浴槽用湯通路３０ｂに流通する浴槽湯水Ｗｂの循環流量Ｑｂである。その浴槽湯水Ｗｂの循環流量Ｑｂは例えば、流量センサ等によって検出される検出値であってもよいし、浴槽湯水ポンプ５７の回転数から算出される推定値であってもよい。また、上記式Ｆ１の温度差ΔＴ１ｂは、浴槽用湯通路３０ｂの入口側における浴槽湯水Ｗｂの温度をＴＢｒとし且つ浴槽用湯通路３０ｂの出口側における浴槽湯水Ｗｂの温度をＴＢｇとして、下記式Ｆ２から算出される。
【００５９】
ΔＴ１ｂ＝ＴＢｇ−ＴＢｒ  ・・・（Ｆ２）
例えば、風呂戻り温度センサ７６に検出される風呂戻り温度ＴＰｒが、その熱交換器３０入口側における浴槽湯水Ｗｂの温度ＴＢｒとして取り扱われる。そして、風呂往き温度センサ７５に検出される風呂往き温度ＴＰｇが、その熱交換器３０出口側における浴槽湯水Ｗｂの温度ＴＢｇとして取り扱われる。
【００６０】
追焚き積算熱量Ｃｒｈの積算は、追焚き運転が停止または終了すれば止められるが、追焚き積算熱量Ｃｒｈは、後述のステップＳ１１０で追焚き運転が終了するまで零には戻らず減少することはない。ステップＳ１０３の次はステップＳ１０４へ進む。
【００６１】
ステップＳ１０４では、追焚き運転の必要熱量Ｃｔｒｈすなわち追焚き必要熱量Ｃｔｒｈを算出する。その追焚き必要熱量Ｃｔｒｈとは、追焚き運転で、浴槽湯水Ｗｂの温度を浴槽湯水Ｗｂの全体にわたって目標浴槽温度Ｔｔｂに到達させるために浴槽湯水Ｗｂへ与えることが必要とされる熱量である。そして、その目標浴槽温度Ｔｔｂとは、追焚き運転における浴槽湯水Ｗｂの温度の目標値であり、本実施形態では、コントローラ９０ａ、９０ｂによって設定される設定浴槽温度が追焚き運転時の目標浴槽温度Ｔｔｂとされる。
【００６２】
追焚き必要熱量Ｃｔｒｈは、追焚き運転の開始時点で浴槽湯水Ｗｂが有する浴槽湯水熱量Ｃｈと、その浴槽湯水熱量Ｃｈの目標値として定められた目標熱量Ｃｔｈとの熱量差に基づき決定される。具体的には、その追焚き必要熱量Ｃｔｒｈは、下記式Ｆ３から算出される。
【００６３】
Ｃｔｒｈ＝Ｃｔｈ−Ｃｈ  ・・・（Ｆ３）
Ｃｈ＝浴槽湯水の温度×浴槽内の湯水量  ・・・（Ｆ４）
本実施形態では、上記式Ｆ３の浴槽湯水熱量Ｃｈは、上記式Ｆ４に示すように、追焚き運転の開始時点における浴槽湯水Ｗｂの温度と浴槽６０内の湯水量との積として算出される。厳密には、その浴槽湯水Ｗｂの温度と浴槽６０内の湯水量はそれぞれ追焚き運転の開始直前に検出される検出値である。浴槽６０内の湯水量は水位センサ７３によって検出される。そして、風呂戻り温度センサ７６によって検出される風呂戻り温度ＴＰｒが上記式Ｆ４の浴槽湯水Ｗｂの温度として取り扱われる。
【００６４】
Ｃｔｈ＝Ｔｔｂ×Ｍｔｂ  ・・・（Ｆ５）
また、上記式Ｆ３の目標熱量Ｃｔｈは、上記式Ｆ５に示すように、目標浴槽温度Ｔｔｂと、追焚き運転が終了したときの浴槽湯水Ｗｂの湯水量として推定される終了後浴槽湯水量Ｍｔｂとの積に基づいて定められる。
【００６５】
また、上記式Ｆ５の終了後浴槽湯水量Ｍｔｂは、浴槽６０内の湯水量が設定浴槽湯水量に自動的に調整される湯水量の自動運転が行われていない場合には、追焚き運転の開始時点における浴槽６０内の湯水量と同じ（すなわち、上記式Ｆ４の浴槽内の湯水量と同じ）とされる。追焚き運転終了時点での浴槽６０内の湯水量は追焚き運転の開始時点と同じであると推定されるからである。一方、湯水量の自動運転が追焚き運転と並行して行われている場合には、上記式Ｆ５の終了後浴槽湯水量Ｍｔｂは、コントローラ９０ａ、９０ｂによって設定される設定浴槽湯水量とされる。追焚き運転終了時点での浴槽６０内の湯水量は、湯水量の自動運転によってその設定浴槽湯水量になっていると推定されるからである。
【００６６】
このようにして追焚き必要熱量Ｃｔｒｈは算出されるので、湯水量の自動運転が行われていなければ、このステップＳ１０４で算出された追焚き必要熱量Ｃｔｒｈは、設定浴槽温度が変更されない限り、本フローチャートの終了まで変わらない。ステップＳ１０４の次はステップＳ１０５へ進む。
【００６７】
ステップＳ１０５では、制御部８０ｂは、風呂戻り温度センサ７６によって検出された浴槽湯水Ｗｂの温度検出値ＴＰｒである風呂戻り温度ＴＰｒを、浴槽湯水Ｗｂの温度として、風呂戻り温度センサ７６から取得する。そして、制御部８０ｂは、その浴槽湯水Ｗｂの温度に対する所定の温度条件が成立したか否かを判定する。具体的には、その温度条件とは、風呂戻り温度ＴＰｒが目標浴槽温度Ｔｔｂに到達することである。すなわち、その温度条件は、風呂戻り温度ＴＰｒが目標浴槽温度Ｔｔｂに到達した場合に成立する。追焚き運転は浴槽湯水Ｗｂの温度を上昇させる給湯装置１の運転であるので、その風呂戻り温度ＴＰｒが目標浴槽温度Ｔｔｂに到達した場合とは、別言すれば、風呂戻り温度ＴＰｒが目標浴槽温度Ｔｔｂ以上になった場合である。
【００６８】
ステップＳ１０５において、上記温度条件が成立したと判定された場合には、ステップＳ１０６へ進む。その一方で、その温度条件が不成立であると判定された場合、すなわち、風呂戻り温度ＴＰｒが目標浴槽温度Ｔｔｂ未満である場合には、ステップＳ１０４へ進む。
【００６９】
ステップＳ１０６では、浴槽湯水Ｗｂの温度とは異なる他の物理量に対する所定の付加条件が成立したか否かを判定する。具体的に、追焚き運転において、上記他の物理量とは追焚き積算熱量Ｃｒｈまたは追焚き運転時間Ｔｒｈである。すなわち、その所定の付加条件とは、追焚き積算熱量Ｃｒｈに対する所定の熱量条件、または、追焚き運転時間Ｔｒｈに対する所定の時間条件である。そして、その熱量条件または時間条件が成立した場合に、その付加条件は成立する。
【００７０】
ステップＳ１０６において、その熱量条件は、追焚き積算熱量Ｃｒｈが追焚き必要熱量Ｃｔｒｈに達した場合、すなわち、追焚き積算熱量Ｃｒｈが追焚き必要熱量Ｃｔｒｈ以上になった場合に成立する。また、時間条件は、追焚き運転時間Ｔｒｈが所定の追焚き時間判定値Ｔｔｒｈに達した場合に成立する。その追焚き時間判定値Ｔｔｒｈは、追焚き運転で浴槽湯水Ｗｂの加熱不足を回避できるように予め実験的に設定されている。追焚き時間判定値Ｔｔｒｈは本実施形態では一定値とされているが、追焚き必要熱量Ｃｔｒｈが大きいほど長い時間になるように追焚き必要熱量Ｃｔｒｈに応じて定められても差し支えない。
【００７１】
ステップＳ１０６において、上記付加条件が成立したと判定された場合には、ステップＳ１０７へ進む。その一方で、その付加条件が不成立であると判定された場合、すなわち、追焚き積算熱量Ｃｒｈが追焚き必要熱量Ｃｔｒｈ未満であり且つ追焚き運転時間Ｔｒｈが未だ追焚き時間判定値Ｔｔｒｈに達していない場合には、ステップＳ１０４へ進む。
【００７２】
ステップＳ１０７では、制御部８０ｂは追焚き運転を一旦停止する。それと共に、給湯水ポンプ５６を停止させ且つ浴槽湯水ポンプ５７を作動させる浴槽湯水循環運転を実行する。すなわち、制御部８０ｂは、ステップＳ１０１で追焚き運転を開始した場合には、温度条件が成立したとステップＳ１０５にて判定し且つ付加条件が成立したとステップＳ１０６にて判定するまで、その追焚き運転を継続する。
【００７３】
具体的に、ステップＳ１０７では、給湯水ポンプ５６は停止させられる一方で、浴槽湯水ポンプ５７は停止せず継続して作動させられる。これにより、浴槽用熱交換器３０では給湯水と浴槽湯水Ｗｂとの熱交換は殆ど行われず、浴槽湯水Ｗｂは浴槽用水循環回路４４ａを循環する。なお、ステップＳ１０７では、三方弁５２等の制御弁は現状維持され、給湯装置１内の水回路の切替状態は追焚き運転中のまま維持される。ステップＳ１０７の次はステップＳ１０８へ進む。
【００７４】
ステップＳ１０８では、浴槽湯水循環運転の実行が、例えば数十秒から数分の時間に設定された所定の運転継続時間を限度として、その浴槽湯水循環運転の開始時点から継続される。そして、その浴槽湯水循環運転の実行中に、浴槽湯水Ｗｂの温度として風呂戻り温度ＴＰｒが風呂戻り温度センサ７６から逐次取得される。更に、その浴槽湯水循環運転の実行中に、その浴槽湯水Ｗｂの温度が目標浴槽温度Ｔｔｂから、その目標浴槽温度Ｔｔｂに到達する前の温度側（すなわち、目標浴槽温度Ｔｔｂに対して低温側）へ所定の温度幅α以上戻ったか否かが判定される。すなわち、浴槽湯水循環運転の実行中に、その浴槽湯水Ｗｂの温度が、下記式Ｆ６から算出される追焚き再開判定温度Ｔ１ｔ以下になったか否かが判定される。
【００７５】
Ｔ１ｔ＝Ｔｔｂ−α  ・・・（Ｆ６）
なお、所定の温度幅αは零または正の値であり、例えば追焚き運転が不十分で浴槽６０内に温度むらが生じていることを判定できるように予め実験的に設定されている。
【００７６】
ステップＳ１０８において、浴槽湯水循環運転の実行中に浴槽湯水Ｗｂの温度が追焚き再開判定温度Ｔ１ｔ以下になったと判定された場合には、ステップＳ１０９へ進む。その一方で、浴槽湯水循環運転の実行中に浴槽湯水Ｗｂの温度が追焚き再開判定温度Ｔ１ｔよりも高温に維持されたと判定された場合には、ステップＳ１１０へ進む。
【００７７】
ステップＳ１０９では、制御部８０ｂは、浴槽湯水循環運転に替えて追焚き運転を再開する。具体的に言えば、浴槽湯水ポンプ５７を継続して作動させたまま、給湯水ポンプ５６の作動を再開する。これにより、浴槽用熱交換器３０で給湯水と浴槽湯水Ｗｂとの熱交換が再開する。
【００７８】
ステップＳ１０９の次はステップＳ１０４へ進む。従って、ステップＳ１０９での追焚き運転の再開後には、再び、ステップＳ１０５で温度条件について判定され、ステップＳ１０６で付加条件について判定される。しかし、追焚き運転の再開前に既に、ステップＳ１０６で付加条件が成立したと判定されており、追焚き運転時間Ｔｒｈおよび追焚き積算熱量Ｃｒｈは、後述のステップＳ１１０で追焚き運転が終了するまで減少することはない。従って、追焚き運転の再開後にはステップＳ１０６において常に、付加条件が成立したと判定されることになる。そのため実質的にみれば、制御部８０ｂは、追焚き運転を再開した場合において、温度条件が成立したとステップＳ１０５にて判定された場合には、その付加条件に拘わらず、ステップＳ１０７にて追焚き運転を停止する。
【００７９】
ステップＳ１１０では、制御部８０ｂは浴槽湯水循環運転を終了する。当然、追焚き運転も終了する。具体的には、給湯水ポンプ５６を停止させたまま、浴槽湯水ポンプ５７も停止させる。その後、本フローチャートは終了する。
【００８０】
なお、上述した図２の各ステップでの処理は、それぞれの機能を実現する機能部を構成している。後述する図３〜図５のフローチャートでも同様である。
【００８１】
また、図２のステップＳ１０５は温度条件判定部に対応し、ステップＳ１０６は付加条件判定部に対応し、ステップＳ１０１、Ｓ１０７、Ｓ１０９、Ｓ１１０は運転実行部に対応する。そして、給湯装置１の制御部８０ｂは、その温度条件判定部と付加条件判定部と運転実行部とを機能的に備えている。
【００８２】
次に、風呂熱回収運転を実行するための制御処理を図３のフローチャートを用いて説明する。制御部８０ｂは、この図３に示す風呂熱回収運転の制御処理を、例えば各コントローラ９０ａ、９０ｂの浴室内風呂熱回収スイッチまたは浴室外風呂熱回収スイッチがオン操作された場合に開始する。
【００８３】
図３のステップＳ２０１、Ｓ２０２、Ｓ２０３、Ｓ２０４、Ｓ２０６、Ｓ２０７、Ｓ２０８、Ｓ２０９、およびＳ２１０は、図２のＳ１０１、Ｓ１０２、Ｓ１０３、Ｓ１０４、Ｓ１０６、Ｓ１０７、Ｓ１０８、Ｓ１０９、およびＳ１１０にそれぞれ対応する。そして、図３の各ステップはそれぞれ、それに対応する図２のステップに対し、追焚き運転が風呂熱回収運転に置き換わったことに応じて異なっているが、それ以外の点では同じである。
【００８４】
図３のステップＳ２０１では、制御部８０ｂは風呂熱回収運転を実行する。この風呂熱回収運転は、ステップＳ２０１以降のステップで停止または終了させられるまで継続する。また、例えば、各コントローラ９０ａ、９０ｂの浴室内風呂熱回収スイッチまたは浴室外風呂熱回収スイッチがオフ操作された場合には、風呂熱回収運転は終了する。
【００８５】
風呂熱回収運転では、浴槽湯水Ｗｂの熱が貯湯タンク１０内の給湯水へ回収される。風呂熱回収運転では、制御部８０ｂは、三方弁５２を下方開口部１０ａと第１継手２２とがバイパス配管２１ｃを介して接続されるように制御すると共に、給湯水ポンプ５６と浴槽湯水ポンプ５７とを作動させる。従って、下方開口部１０ａから流出した低温の給湯水は、バイパス配管２１ｃと三方弁５２と第１継手２２とを介して給湯水側通路３０ａへ流入する。一方、浴槽６０から浴槽湯水ポンプ５７によって圧送された浴槽湯水Ｗｂは、浴槽用湯通路３０ｂへと流入する。
【００８６】
そして、給湯水ポンプ５６と浴槽湯水ポンプ５７とが作動させられることにより、熱源流体としての給湯水と、浴槽湯水Ｗｂとが熱交換させられる。つまり、浴槽用熱交換器３０では、給湯水側通路３０ａを通過する低温の給湯水と、浴槽用湯通路３０ｂを通過する浴槽湯水Ｗｂとが熱交換する。この熱交換により、給湯水側通路３０ａを流通する給湯水の温度は上昇し、浴槽用湯通路３０ｂを流通する浴槽湯水Ｗｂの温度は低下する。給湯水側通路３０ａを流出した給湯水は、給湯水ポンプ５６によって第２中間開口部１０ｅから貯湯タンク１０へと回収される。一方、浴槽用湯通路３０ｂを通過した浴槽湯水Ｗｂは、浴槽６０内へと戻される。これにより、浴槽６０に貯められた浴槽湯水Ｗｂの温度を低下させると共に、その浴槽湯水Ｗｂの熱を貯湯タンク１０内の給湯水へと回収することができる。ステップＳ２０１の次はステップＳ２０２へ進む。
【００８７】
なお、浴槽用熱交換器３０の給湯水側通路３０ａへ流通する給湯水の温度が、浴槽用湯通路３０ｂへ流通する浴槽湯水Ｗｂの温度以上である場合には、浴槽６０内の浴槽湯水Ｗｂの熱を貯湯タンク１０内の給湯水へ回収できない。例えば、そのような状況は、貯湯タンク１０がタンク上端からタンク下端まで高温の給湯水で満たされた満タン状態になると発生し得る。そのため、風呂熱回収運転は、給湯水側通路３０ａへ流通する給湯水の温度が、浴槽用湯通路３０ｂへ流通する浴槽湯水Ｗｂの温度よりも低いことを条件に実行される。
【００８８】
ステップＳ２０２では、風呂熱回収運転の運転時間Ｔｒｃである熱回収運転時間Ｔｒｃの計測を開始する。すなわち、その熱回収運転時間Ｔｒｃは、風呂熱回収運転が実行された運転時間であるので、ステップＳ２０１で開始された風呂熱回収運転の開始時点を零として、その開始時点から累積される。この熱回収運転時間Ｔｒｃの累積は、風呂熱回収運転が停止または終了すれば止められるが、熱回収運転時間Ｔｒｃは、後述のステップＳ２１０で風呂熱回収運転が終了するまで零には戻らず減少することはない。ステップＳ２０２の次はステップＳ２０３へ進む。
【００８９】
ステップＳ２０３では、風呂熱回収運転の積算熱量Ｃｒｃである熱回収積算熱量Ｃｒｃの積算を開始する。その熱回収積算熱量Ｃｒｃは、風呂熱回収運転の開始時点を零として、その開始時点から積算される。熱回収積算熱量Ｃｒｃは、風呂熱回収運転の実行に伴って浴槽湯水Ｗｂが放熱した積算熱量であり、時間積分式である下記式Ｆ７から算出される算出値である。
【００９０】
【数２】
2018091511.tif 000004
【００９１】
上記式Ｆ７のＴｒｃは熱回収運転時間Ｔｒｃであり、Ｑｂは上記式Ｆ１と同様に、浴槽用湯通路３０ｂに流通する浴槽湯水Ｗｂの循環流量Ｑｂである。その浴槽湯水Ｗｂの循環流量Ｑｂは、上記式Ｆ１と同様に、例えば検出値であっても推定値であってもよい。また、上記式Ｆ７の温度差ΔＴ２ｂは、浴槽用湯通路３０ｂの入口側における浴槽湯水Ｗｂの温度ＴＢｒと浴槽用湯通路３０ｂの出口側における浴槽湯水Ｗｂの温度ＴＢｇとに基づき、下記式Ｆ８から算出される。
【００９２】
ΔＴ２ｂ＝ＴＢｒ−ＴＢｇ  ・・・（Ｆ８）
上記式Ｆ８の各温度ＴＢｒ、ＴＢｇはそれぞれ、上記式Ｆ２の各温度ＴＢｒ、ＴＢｇと同様に検出される。
【００９３】
熱回収積算熱量Ｃｒｃの積算は、風呂熱回収運転が停止または終了すれば止められるが、熱回収積算熱量Ｃｒｃは、後述のステップＳ２１０で風呂熱回収運転が終了するまで零には戻らず減少することはない。ステップＳ２０３の次はステップＳ２０４へ進む。
【００９４】
ステップＳ２０４では、風呂熱回収運転の必要熱量Ｃｔｒｃすなわち熱回収必要熱量Ｃｔｒｃを算出する。その熱回収必要熱量Ｃｔｒｃとは、風呂熱回収運転で、浴槽湯水Ｗｂの温度を浴槽湯水Ｗｂの全体にわたって目標浴槽温度Ｔｔｂに到達させるために浴槽湯水Ｗｂから放熱させることが必要とされる熱量である。そして、その目標浴槽温度Ｔｔｂとは、風呂熱回収運転における浴槽湯水Ｗｂの温度の目標値である。追焚き運転時と同様に、コントローラ９０ａ、９０ｂによって設定される設定浴槽温度が風呂熱回収運転時の目標浴槽温度Ｔｔｂとされる。
【００９５】
熱回収必要熱量Ｃｔｒｃは、風呂熱回収運転の開始時点で浴槽湯水Ｗｂが有する浴槽湯水熱量Ｃｃと、その浴槽湯水熱量Ｃｃの目標値として定められた目標熱量Ｃｔｃとの熱量差に基づき決定される。具体的には、その熱回収必要熱量Ｃｔｒｃは、下記式Ｆ９から算出される。
【００９６】
Ｃｔｒｃ＝Ｃｃ−Ｃｔｃ  ・・・（Ｆ９）
Ｃｃ＝浴槽湯水の温度×浴槽内の湯水量  ・・・（Ｆ１０）
本実施形態では、上記式Ｆ９の浴槽湯水熱量Ｃｃは、上記式Ｆ１０に示すように、風呂熱回収運転の開始時点における浴槽湯水Ｗｂの温度と浴槽６０内の湯水量との積として算出される。その浴槽湯水Ｗｂの温度と浴槽６０内の湯水量は、追焚き運転時と同様にして検出される。
【００９７】
Ｃｔｃ＝Ｔｔｂ×Ｍｔｂ  ・・・（Ｆ１１）
また、上記式Ｆ９の目標熱量Ｃｔｃは、上記式Ｆ１１に示すように、目標浴槽温度Ｔｔｂと、風呂熱回収運転が終了したときの浴槽湯水Ｗｂの湯水量として推定される終了後浴槽湯水量Ｍｔｂとの積に基づいて定められる。その風呂熱回収運転時の終了後浴槽湯水量Ｍｔｂは、追焚き運転時と同様である。
【００９８】
このようにして熱回収必要熱量Ｃｔｒｃは算出されるので、湯水量の自動運転が行われていなければ、このステップＳ２０４で算出された熱回収必要熱量Ｃｔｒｃは、設定浴槽温度が変更されない限り、本フローチャートの終了まで変わらない。ステップＳ２０４の次はステップＳ１０５へ進む。
【００９９】
本フローチャートのステップＳ１０５でも図２のフローチャートのステップＳ１０５と同様に、所定の温度条件が成立したか否かが判定される。そして、その温度条件は、風呂戻り温度ＴＰｒが目標浴槽温度Ｔｔｂに到達した場合に成立する。但し、本フローチャートで実行される風呂熱回収運転は浴槽湯水Ｗｂの温度を低下させる給湯装置１の運転であるので、その風呂戻り温度ＴＰｒが目標浴槽温度Ｔｔｂに到達した場合とは、風呂戻り温度ＴＰｒが目標浴槽温度Ｔｔｂ以下になった場合である。
【０１００】
図３のステップＳ１０５において、上記温度条件が成立したと判定された場合には、ステップＳ２０６へ進む。その一方で、その温度条件が不成立であると判定された場合、すなわち、風呂戻り温度ＴＰｒが目標浴槽温度Ｔｔｂよりも高い場合には、ステップＳ２０４へ進む。
【０１０１】
ステップＳ２０６では、浴槽湯水Ｗｂの温度とは異なる他の物理量に対する所定の付加条件が成立したか否かを判定する。具体的に、風呂熱回収運転において、上記他の物理量とは熱回収積算熱量Ｃｒｃまたは熱回収運転時間Ｔｒｃである。すなわち、その所定の付加条件とは、熱回収積算熱量Ｃｒｃに対する所定の熱量条件、または、熱回収運転時間Ｔｒｃに対する所定の時間条件である。そして、その熱量条件または時間条件が成立した場合に、その付加条件は成立する。
【０１０２】
ステップＳ２０６において、その熱量条件は、熱回収積算熱量Ｃｒｃが熱回収必要熱量Ｃｔｒｃに達した場合、すなわち、熱回収積算熱量Ｃｒｃが熱回収必要熱量Ｃｔｒｃ以上になった場合に成立する。また、時間条件は、熱回収運転時間Ｔｒｃが所定の熱回収時間判定値Ｔｔｒｃに達した場合に成立する。その熱回収時間判定値Ｔｔｒｃは、風呂熱回収運転で浴槽湯水Ｗｂからの熱回収不足を回避できるように予め実験的に設定されている。熱回収時間判定値Ｔｔｒｃは本実施形態では一定値とされているが、熱回収必要熱量Ｃｔｒｃが大きいほど長い時間になるように熱回収必要熱量Ｃｔｒｃに応じて定められても差し支えない。
【０１０３】
ステップＳ２０６において、上記付加条件が成立したと判定された場合には、ステップＳ２０７へ進む。その一方で、その付加条件が不成立であると判定された場合、すなわち、熱回収積算熱量Ｃｒｃが熱回収必要熱量Ｃｔｒｃ未満であり且つ熱回収運転時間Ｔｒｃが未だ熱回収時間判定値Ｔｔｒｃに達していない場合には、ステップＳ２０４へ進む。
【０１０４】
ステップＳ２０７では、制御部８０ｂは風呂熱回収運転を一旦停止する。それと共に、上述した浴槽湯水循環運転を実行する。すなわち、制御部８０ｂは、ステップＳ２０１で風呂熱回収運転を開始した場合には、温度条件が成立したとステップＳ１０５にて判定し且つ付加条件が成立したとステップＳ２０６にて判定するまで、その風呂熱回収運転を継続する。
【０１０５】
具体的に、ステップＳ２０７では、図２のステップＳ１０７と同様に、給湯水ポンプ５６は停止させられ、浴槽湯水ポンプ５７は継続して作動させられる。そして、三方弁５２等の制御弁は現状維持される。ステップＳ２０７の次はステップＳ２０８へ進む。
【０１０６】
ステップＳ２０８では、図２のステップＳ１０８と同様に、浴槽湯水循環運転が所定の運転継続時間を限度として継続されると共に、浴槽湯水Ｗｂの温度として風呂戻り温度ＴＰｒが逐次取得される。そして、その浴槽湯水循環運転の実行中に、その浴槽湯水Ｗｂの温度が目標浴槽温度Ｔｔｂから、その目標浴槽温度Ｔｔｂに到達する前の温度側へ所定の温度幅β以上戻ったか否かが判定される。風呂熱回収運転は浴槽湯水Ｗｂの温度を低下させるものであるので、ステップＳ２０８において、その目標浴槽温度Ｔｔｂに到達する前の温度側とは具体的には、目標浴槽温度Ｔｔｂに対する高温側である。すなわち、ステップＳ２０８では、浴槽湯水循環運転の実行中に、その浴槽湯水Ｗｂの温度が、下記式Ｆ１２から算出される熱回収再開判定温度Ｔ２ｔ以上になったか否かが判定される。
【０１０７】
Ｔ２ｔ＝Ｔｔｂ＋β  ・・・（Ｆ１２）
なお、所定の温度幅βは、本実施形態では、図２のステップＳ１０８で用いられる温度幅αと同じ値であるが、零または正の値であればその温度幅αと異なる値であっても差し支えない。
【０１０８】
ステップＳ２０８において、浴槽湯水循環運転の実行中に浴槽湯水Ｗｂの温度が熱回収再開判定温度Ｔ２ｔ以上になったと判定された場合には、ステップＳ２０９へ進む。その一方で、浴槽湯水循環運転の実行中に浴槽湯水Ｗｂの温度が熱回収再開判定温度Ｔ２ｔよりも低温に維持されたと判定された場合には、ステップＳ２１０へ進む。
【０１０９】
ステップＳ２０９では、制御部８０ｂは、浴槽湯水循環運転に替えて風呂熱回収運転を再開する。具体的に言えば、浴槽湯水ポンプ５７を継続して作動させたまま、給湯水ポンプ５６の作動を再開する。これにより、浴槽用熱交換器３０で給湯水と浴槽湯水Ｗｂとの熱交換が再開する。
【０１１０】
ステップＳ２０９の次はステップＳ２０４へ進む。風呂熱回収運転の再開後において、ステップＳ２０６での付加条件の判定については、図２のステップＳ１０６での付加条件の判定と同様である。すなわち、制御部８０ｂは、風呂熱回収運転を再開した場合において、温度条件が成立したとステップＳ１０５にて判定された場合には、その付加条件に拘わらず、ステップＳ２０７にて風呂熱回収運転を停止する。
【０１１１】
ステップＳ２１０では、制御部８０ｂは浴槽湯水循環運転を終了する。当然、風呂熱回収運転も終了する。具体的には、給湯水ポンプ５６を停止させたまま、浴槽湯水ポンプ５７も停止させる。その後、本フローチャートは終了する。
【０１１２】
なお、図３のステップＳ１０５は温度条件判定部に対応し、ステップＳ２０６は付加条件判定部に対応し、ステップＳ２０１、Ｓ２０７、Ｓ２０９、Ｓ２１０は運転実行部に対応する。
【０１１３】
上述したように、本実施形態によれば、追焚き運転と風呂熱回収運転は何れも、湯温調節運転の一種である。そして、図２および図３に示すように、ステップＳ１０５に対応する温度条件判定部は、湯温調節運転が開始された後に、浴槽湯水Ｗｂの温度に対する所定の温度条件が成立したか否かを判定する。また、ステップＳ１０６、Ｓ２０６に対応する付加条件判定部は、湯温調節運転が開始された後に、浴槽湯水Ｗｂの温度とは異なる他の物理量に対する所定の付加条件が成立したか否かを判定する。また、ステップＳ１０７、Ｓ２０７等に対応する運転実行部は、湯温調節運転を開始した場合には、温度条件が成立したと温度条件判定部により判定され且つ付加条件が成立したと付加条件判定部により判定されるまで湯温調節運転を継続する。
【０１１４】
これにより、浴槽湯水Ｗｂの温度に加え、その浴槽湯水Ｗｂの温度とは異なる他の物理量にも基づいて、湯温調節運転を継続するか停止するかが決定される。従って、湯温調節運転を継続するか停止するかが上記温度条件のみに基づいて判定される場合と比較して、湯温調節運転の運転時間Ｔｒｈ、Ｔｒｃが短すぎるという事態を回避しやすい。そのため、ショートサーキットに起因した浴槽湯水Ｗｂの温度調節不良を抑制することが可能である。
【０１１５】
また、本実施形態によれば、追焚き運転を実行するための図２の制御処理において、付加条件とは、追焚き積算熱量Ｃｒｈに対する所定の熱量条件、または、追焚き運転時間Ｔｒｈに対する所定の時間条件である。そして、付加条件判定部は、熱量条件または時間条件が成立した場合に、付加条件が成立したと判定する。従って、追焚き運転中の浴槽湯水Ｗｂの温度上昇幅に関連した物理量である追焚き積算熱量Ｃｒｈまたは追焚き運転時間Ｔｒｈを用いて、追焚き運転の継続の可否を判定することができる。
【０１１６】
また、本実施形態によれば、風呂熱回収運転を実行するための図３の制御処理おいて、付加条件とは、熱回収積算熱量Ｃｒｃに対する所定の熱量条件、または、熱回収運転時間Ｔｒｃに対する所定の時間条件である。そして、付加条件判定部は、熱量条件または時間条件が成立した場合に、付加条件が成立したと判定する。従って、風呂熱回収運転中の浴槽湯水Ｗｂの温度低下幅に関連した物理量である熱回収積算熱量Ｃｒｃまたは熱回収運転時間Ｔｒｃを用いて、風呂熱回収運転の継続の可否を判定することができる。
【０１１７】
また、本実施形態によれば、図２および図３に示すように、追焚き運転では、熱量条件は、追焚き積算熱量Ｃｒｈが追焚き必要熱量Ｃｔｒｈに達した場合、すなわち、追焚き積算熱量Ｃｒｈが追焚き必要熱量Ｃｔｒｈ以上になった場合に成立する。風呂熱回収運転では、熱量条件は、熱回収積算熱量Ｃｒｃが熱回収必要熱量Ｃｔｒｃに達した場合、すなわち、熱回収積算熱量Ｃｒｃが熱回収必要熱量Ｃｔｒｃ以上になった場合に成立する。従って、追焚き運転と風呂熱回収運転とを含む湯温調節運転で浴槽湯水熱量Ｃｈ、Ｃｃが目標熱量Ｃｔｈ、Ｃｔｃに到達することを、湯温調節運転の継続の可否を判定するための１つの判定材料にすることができる。
【０１１８】
また、本実施形態によれば、図２および図３に示すように、目標熱量Ｃｔｈ、Ｃｔｃは、目標浴槽温度Ｔｔｂと終了後浴槽湯水量Ｍｔｂとの積に基づいて定められる。従って、浴槽湯水Ｗｂの温度だけでなく浴槽湯水Ｗｂの湯水量も考慮して、目標熱量Ｃｔｈ、Ｃｔｃを適切な大きさに定めることができる。
【０１１９】
また、本実施形態によれば、図２および図３に示すように、浴槽湯水循環運転の実行中に、浴槽湯水Ｗｂの温度が目標浴槽温度Ｔｔｂから、その目標浴槽温度Ｔｔｂに到達する前の温度側へ所定の温度幅α、β以上戻った場合には、浴槽湯水循環運転に替えて湯温調節運転が再開される。従って、浴槽６０内で浴槽湯水Ｗｂの温度むらを或る程度抑えた上で、湯温調節運転の再開の必要性を判断できる。
【０１２０】
また、その湯温調節運転が再開された場合において、温度条件が成立したと温度条件判定部により判定された場合には、上記付加条件に拘わらず、湯温調節運転は停止される。従って、湯温調節運転を停止するか否かの判定に、付加条件が不必要に関わることを回避することが可能である。
【０１２１】
（第２実施形態）
次に、第２実施形態について説明する。本実施形態では、前述の第１実施形態と異なる点を主として説明する。また、前述の実施形態と同一または均等な部分については省略または簡略化して説明する。このことは後述の実施形態でも同様である。
【０１２２】
本実施形態では、給湯装置１の追焚き運転が行われる際には、図２および図４のフローチャートに示す制御処理のうちから選択された一方の制御処理が実行される。また、風呂熱回収運転が行われる際には、図３および図５のフローチャートに示す制御処理のうちから選択された一方の制御処理が実行される。ここで、図４は、図２からステップＳ１０２、Ｓ１０３、Ｓ１０４、およびＳ１０６を省いたフローチャート、要するに付加条件に関わるステップを図２から省いたフローチャートである。また、図５は、図３からステップＳ２０２、Ｓ２０３、Ｓ２０４、およびＳ２０６を省いたフローチャート、要するに付加条件に関わるステップを図３から省いたフローチャートである。
【０１２３】
すなわち、図２および図３に示すステップＳ１０１、Ｓ１０７、Ｓ１０９、Ｓ１１０、Ｓ２０１、Ｓ２０７、Ｓ２０９、Ｓ２１０に対応する運転実行部は、後述の第１状態と第２状態とに切替え可能となっている。
【０１２４】
そして、追焚き運転が行われる場合において、運転実行部は上記第１状態では、図２のステップＳ１０５に対応する温度条件判定部の判定結果と図２のステップＳ１０６に対応する付加条件判定部の判定結果とに従って、追焚き運転を継続する。要するに、給湯装置１の制御部８０ｂは、図２のフローチャートに従って追焚き運転を実行する。その一方で、運転実行部は上記第２状態では、付加条件判定部の判定結果に拘わらず、温度条件が成立したと温度条件判定部により判定されるまで追焚き運転を継続する。要するに、制御部８０ｂは、図４のフローチャートに従って追焚き運転を実行する。
【０１２５】
また、風呂熱回収運転が行われる場合において、運転実行部は上記第１状態では、図３のステップＳ１０５に対応する温度条件判定部の判定結果と図３のステップＳ２０６に対応する付加条件判定部の判定結果とに従って、風呂熱回収運転を継続する。要するに、制御部８０ｂは、図３のフローチャートに従って風呂熱回収運転を実行する。その一方で、運転実行部は上記第２状態では、付加条件判定部の判定結果に拘わらず、温度条件が成立したと温度条件判定部により判定されるまで風呂熱回収運転を継続する。要するに、制御部８０ｂは、図５のフローチャートに従って風呂熱回収運転を実行する。
【０１２６】
また、図２の制御処理と図４の制御処理とのうちの一方の選択および図３の制御処理と図５の制御処理とのうちの一方の選択、すなわち、運転実行部の第１状態と第２状態との切替えは、例えば、何れかのコントローラ９０ａ、９０ｂに対するユーザ操作によって行われる。そして、その制御処理の何れが選択されているか、すなわち、運転実行部が第１状態と第２状態との何れに切り替えられているかは、それぞれのコントローラ９０ａ、９０ｂに表示される。
【０１２７】
以上説明したことを除き、本実施形態は第１実施形態と同様である。そして、本実施形態では、前述の第１実施形態と共通の構成から奏される効果を第１実施形態と同様に得ることができる。
【０１２８】
上述のように、本実施形態によれば、制御部８０ｂが機能的に有する運転実行部は、第１状態と第２状態とに切替え可能となっている。そして、運転実行部は、その第１状態では、温度条件判定部の判定結果と付加条件判定部の判定結果とに従って、湯温調節運転を継続する。一方、運転実行部は、その第２状態では、付加条件判定部の判定結果に拘わらず、温度条件が成立したと温度条件判定部により判定されるまで湯温調節運転を継続する。従って、湯温調節運転の継続の可否を判定するために、上記付加条件を適宜採用することが可能である。
【０１２９】
また、本実施形態によれば、各コントローラ９０ａ、９０ｂには、運転実行部が第１状態と第２状態との何れに切り替えられているかが表示される。従って、追焚き運転と風呂熱回収運転とのそれぞれの継続の可否がどのように判定されるかを、操作端末を操作するユーザに認識させることが可能である。
【０１３０】
（他の実施形態）
（１）上述の各実施形態において、図２のフローチャートのステップＳ１０６では、浴槽湯水Ｗｂの温度とは異なる他の物理量に対する所定の付加条件が成立したか否かが判定される。そして、上記他の物理量とは追焚き積算熱量Ｃｒｈまたは追焚き運転時間Ｔｒｈである。しかしながら、これは一例であり、上記他の物理量は、積算熱量または運転時間以外の物理量であることも想定される。このことは、図３のフローチャートのステップＳ２０６で用いられる他の物理量に関しても同様である。
【０１３１】
（２）上述の各実施形態において、図２のフローチャートのステップＳ１０６では、付加条件とは所定の熱量条件または所定の時間条件であり、その付加条件は熱量条件または時間条件が成立した場合に成立する。しかしながら、これは一例であり、その付加条件は、その熱量条件および時間条件以外の他の条件で構成されていてもよい。このことは、図３のフローチャートのステップＳ２０６で判定される付加条件に関しても同様である。
【０１３２】
（３）上述の各実施形態において、図２のフローチャートのステップＳ１０９で追焚き運転が再開されるが、図２のフローチャートは、追焚き運転が再開されないフローチャートに替わっていても差し支えない。これと同様に、図３〜図５のフローチャートも、風呂熱回収運転が再開されないフローチャートに替わっていても差し支えない。
【０１３３】
（４）上述の各実施形態において、図２のステップＳ１０３で積算が開始される追焚き積算熱量Ｃｒｈは、上記式Ｆ１から算出されるが、これは一例である。例えば、給湯水側通路３０ａの入口側と出口側とのそれぞれにおける給湯水の温度が検出可能であれば、上記式Ｆ１に替えて下記Ｆ１３から算出されても差し支えない。
【０１３４】
【数３】
2018091511.tif 000005
【０１３５】
上記式Ｆ１３のＴｒｈは追焚き運転時間Ｔｒｈであり、Ｑａは給湯水側通路３０ａに流通する給湯水の循環流量Ｑａである。その給湯水の循環流量Ｑａは例えば、流量センサ等によって検出される検出値であってもよいし、給湯水ポンプ５６の回転数から算出される推定値であってもよい。また、上記式Ｆ１３のＬａは、推定される浴槽用熱交換器３０での熱交換ロスに相当する係数としての熱交換ロス推定値Ｌａである。この熱交換ロス推定値Ｌａは例えば、予め実験的に求められた定数であり１未満の正の値とされている。
【０１３６】
ΔＴ１ａ＝ＴＡｉ−ＴＡｏ  ・・・（Ｆ１４）
また、上記式Ｆ１３の温度差ΔＴ１ａは、給湯水側通路３０ａの入口側における給湯水の温度をＴＡｉとし且つ給湯水側通路３０ａの出口側における給湯水の温度をＴＡｏとして、上記式Ｆ１４から算出される。
【０１３７】
（５）上述の各実施形態において、図３のステップＳ２０３で積算が開始される熱回収積算熱量Ｃｒｃは、上記式Ｆ７から算出されるが、これは一例である。例えば、給湯水側通路３０ａの入口側と出口側とのそれぞれにおける給湯水の温度が検出可能であれば、上記式Ｆ７に替えて下記Ｆ１５から算出されても差し支えない。
【０１３８】
【数４】
2018091511.tif 000006
【０１３９】
上記式Ｆ１５のＴｒｃは熱回収運転時間Ｔｒｃであり、Ｑａは上記式Ｆ１３と同様に、給湯水側通路３０ａに流通する給湯水の循環流量Ｑａである。その給湯水の循環流量Ｑａは、上記式Ｆ１３と同様に、例えば検出値であっても推定値であってもよい。また、上記式Ｆ１５のＬａは、上記式Ｆ１３の熱交換ロス推定値Ｌａと同じ値である。
【０１４０】
ΔＴ２ａ＝ＴＡｏ−ＴＡｉ  ・・・（Ｆ１６）
また、上記式Ｆ１５の温度差ΔＴ２ａは、給湯水側通路３０ａの入口側における給湯水の温度ＴＡｉと給湯水側通路３０ａの出口側における給湯水の温度ＴＡｏとに基づき、上記式Ｆ１６から算出される。
【０１４１】
（６）上述の各実施形態において、図２〜図５のフローチャートでは、風呂戻り温度センサ７６に検出される風呂戻り温度ＴＰｒが浴槽湯水Ｗｂの温度として検出されるが、これは一例である。例えば、図２〜図５のフローチャートで用いられる浴槽湯水Ｗｂの温度は、浴槽用湯温センサ７２など他の温度センサによって検出されてもよいし、温度以外の物理量に基づいて算出される算出値であってもよい。
【０１４２】
（７）上述の各実施形態において、図２〜図５のフローチャートに示す各ステップの処理はコンピュータプログラムによって実現されるものであるが、ハードロジックで構成されるものであっても差し支えない。
【０１４３】
（８）なお、本発明は、上述の実施形態に限定されることなく、種々変形して実施することができる。また、上記各実施形態において、実施形態を構成する要素は、特に必須であると明示した場合および原理的に明らかに必須であると考えられる場合等を除き、必ずしも必須のものではないことは言うまでもない。
【０１４４】
また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【０１４５】
（まとめ）
上記各実施形態の一部または全部で示された第１の観点によれば、湯温調節装置が備える温度条件判定部は、湯温調節運転が開始された後に、浴槽湯水の温度に対する所定の温度条件が成立したか否かを判定する。付加条件判定部は、湯温調節運転が開始された後に、浴槽湯水の温度とは異なる他の物理量に対する所定の付加条件が成立したか否かを判定する。運転実行部は、湯温調節運転を開始した場合には、温度条件が成立したと温度条件判定部により判定され且つ付加条件が成立したと付加条件判定部により判定されるまで湯温調節運転を継続する。
【０１４６】
また、第２の観点によれば、湯温調節運転とは追焚き運転であり、付加条件とは、湯温調節運転の実行に伴って浴槽湯水が吸熱した積算熱量に対する熱量条件、または、湯温調節運転が実行された運転時間に対する時間条件である。そして、付加条件判定部は、熱量条件または時間条件が成立した場合に、付加条件が成立したと判定する。従って、追焚き運転中の浴槽湯水の温度上昇幅に関連した物理量である積算熱量または運転時間を用いて、湯温調節運転の継続の可否を判定することができる。
【０１４７】
また、第３の観点によれば、湯温調節運転とは熱回収運転であり、付加条件とは、湯温調節運転の実行に伴って浴槽湯水が放熱した積算熱量に対する熱量条件、または、湯温調節運転が実行された運転時間に対する時間条件である。そして、付加条件判定部は、熱量条件または時間条件が成立した場合に、付加条件が成立したと判定する。従って、熱回収運転中の浴槽湯水の温度低下幅に関連した物理量である積算熱量または運転時間を用いて、湯温調節運転の継続の可否を判定することができる。
【０１４８】
また、第４の観点によれば、浴槽湯水が有する浴槽湯水熱量とその浴槽湯水熱量の目標値として定められた目標熱量との熱量差に基づき決定された必要熱量に上記積算熱量が達した場合に、上記熱量条件は成立する。従って、湯温調節運転で浴槽湯水熱量が目標熱量に到達することを、湯温調節運転の継続の可否を判定するための１つの判定材料にすることができる。
【０１４９】
また、第５の観点によれば、目標熱量は、湯温調節運転で浴槽湯水の温度の目標値とされる目標浴槽温度と、湯温調節運転が終了したときの浴槽湯水の湯水量として推定される終了後浴槽湯水量との積に基づいて定められる。従って、浴槽湯水の温度だけでなく浴槽湯水の湯水量も考慮して、目標熱量を適切な大きさに定めることができる。
【０１５０】
また、第６の観点によれば、温度センサによって検出された浴槽湯水の温度検出値が、湯温調節運転で浴槽湯水の温度の目標値とされる目標浴槽温度に到達した場合に、上記温度条件は成立する。
【０１５１】
また、第７の観点によれば、運転実行部は、浴槽湯水循環運転の実行中に、浴槽湯水の温度が目標浴槽温度から、その目標浴槽温度に到達する前の温度側へ所定の温度幅以上戻った場合には、浴槽湯水循環運転に替えて湯温調節運転を再開する。従って、浴槽内で浴槽湯水の温度むらを或る程度抑えた上で、湯温調節運転の再開の必要性を判断できる。
【０１５２】
また、運転実行部は、湯温調節運転を再開した場合において、温度条件が成立したと温度条件判定部により判定された場合には、上記付加条件に拘わらず、湯温調節運転を停止する。従って、湯温調節運転を停止するか否かの判定に、付加条件が不必要に関わることを回避することが可能である。
【０１５３】
また、第８の観点によれば、運転実行部は、第１状態と第２状態とに切替え可能となっている。そして、運転実行部は、その第１状態では、温度条件判定部の判定結果と付加条件判定部の判定結果とに従って湯温調節運転を継続する。一方、運転実行部は、その第２状態では、付加条件判定部の判定結果に拘わらず、温度条件が成立したと温度条件判定部により判定されるまで湯温調節運転を継続する。従って、湯温調節運転の継続の可否を判定するために、上記付加条件を適宜採用することが可能である。
【０１５４】
また、第９の観点によれば、操作端末には、運転実行部が第１状態と第２状態との何れに切り替えられているかが表示される。従って、湯温調節運転の継続の可否がどのように判定されるかを、操作端末の操作者に認識させることが可能である。
【符号の説明】
【０１５５】
１        給湯装置（湯温調節装置）
６０      浴槽
８０ｂ    制御部
Ｃｒｃ    熱回収積算熱量（他の物理量）
Ｃｒｈ    追焚き積算熱量（他の物理量）
Ｔｒｃ    熱回収運転時間（他の物理量）
Ｔｒｈ    追焚き運転時間（他の物理量）
Ｗｂ      浴槽湯水
【図１】
2018091511.tif 000007
【図２】
2018091511.tif 000008
【図３】
2018091511.tif 000009
【図４】
2018091511.tif 000010
【図５】
2018091511.tif 000011